(57)【特許請求の範囲】
【請求項１】
回動自在に軸支されたガンギ車と、
揺動自在に軸支され、一方の端部に前記ガンギ車に係合すると共に揺動により前記ガンギ車を回転させる係合部を有し、他方の端部に駆動磁石が固着されているアンクルと、
該アンクルの駆動磁石に磁気作用による力を加えて前記アンクルを揺動させる駆動装置と、
からなることを特徴とする飾りガンギ装置。
【請求項２】
回動自在に軸支されたガンギ車と、
揺動自在に軸支され、揺動をもたらす駆動磁石が取り付けられ、且つ前記ガンギ車に係合すると共に揺動により前記ガンギ車を回転させる係合部を有するアンクルと、
該アンクルの駆動磁石に磁気作用による力を加えて前記アンクルを揺動させる駆動装置と、を備え、
前記駆動装置が、一対の磁極部が前記アンクルの駆動磁石に対向するように配置されたステーターと、該ステーターに巻回されたコイルと、該コイルに電流を供給する駆動回路と、からなることを特徴とする飾りガンギ装置。
【請求項３】
回動自在に軸支されたガンギ車と、
揺動自在に軸支され、揺動をもたらす駆動磁石が取り付けられ、且つ前記ガンギ車に係合すると共に揺動により前記ガンギ車を回転させる係合部を有するアンクルと、
該アンクルの駆動磁石に磁気作用による力を加えて前記アンクルを揺動させる駆動装置と、を備え、
前記アンクルの駆動磁石と前記駆動装置が遮蔽板を挟んで対向配置されていることを特徴とする飾りガンギ装置。
【発明の詳細な説明】
【０００１】
【発明の属する技術分野】
本発明は、ガンギ車を直接アンクルで駆動する飾りガンギ装置に関するものである。
【０００２】
【従来の技術】
従来のガンギ車の回転により指針を駆動する時計としては、実開昭５３−１５９３７３号公報に開示されている時計があった。この時計においては、振り子の揺動で振動レバーを動かし、この振動レバーの動作でアンクル体を動かしてガンギ車を回転させるものであった。
【０００３】
また、従来の飾りガンギ装置としては、特開平９−９６６８５号公報に開示されているものがあった。この装置においては、揺動機構と振り子を連結杆で連結し、この連結杆を介して揺動される振り子でガンギ車を回転させるものであった。
【０００４】
【発明が解決しようとする課題】
上記従来技術においては、アンクル体を揺動させるための振動レバーをアンクル体と並べて配置したり、振り子を揺動させるための揺動機構を振り子の背後に並べて配置することが必要であった。このため、ガンギ車を駆動する振動レバー、連結杆等の機構を収めるスペースや厚みが増大し、小型化、薄型化が難しいという課題があった。
【０００５】
また、上記従来技術においては、アンクル体と振り子を振動レバーで連結したり、振り子と揺動機構を連結杆で連結することが必要であった。このため、アンクル体又は振り子とそれを駆動する振り子又は揺動機構との位置関係を容易に変えることができず、小型化、薄型化を更に困難なものにしていた。
【０００６】
更に、従来技術における振り子と揺動機構を連結杆で連結する場合、連結杆を通すための通孔を基板等に設けることが必要になり、見栄えが悪くなり、また、組立も容易でないという課題があった。
【０００７】
更にまた、従来技術においては、コイルを励磁することにより振り子や揺動機構を揺動させているが、前述したようにこの揺動機構等の配置の自由度が低いため、コイルを駆動する回路を空いたスペースに配置し、そこからコイルまでコードを引き回して接続する必要があった。
【０００８】
また、従来技術におけるアンクル体や振り子は、初期位置や停止位置が定まらず、始動時における精度が悪く、また、搬送時等にガタつくことを防ぐためストッパー等を設ける必要もあった。
【０００９】
本発明は、上記従来技術の課題に鑑みなされたもので、小型化、薄型化が容易で、しかも見栄えが良く、組立も容易で、断線等の心配もなく、更にアンクルを適正な停止位置に停止させることが可能な飾りガンギ装置を提供するものである。
【００１０】
【課題を解決するための手段】
本発明の飾りガンギ装置は、回動自在に軸支されたガンギ車と、揺動自在に軸支され、一方の端部に前記ガンギ車に係合すると共に揺動により前記ガンギ車を回転させる係合部を有し、他方の端部に駆動磁石が固着されているアンクルと、該アンクルの駆動磁石に磁気作用による力を加えて前記アンクルを揺動させる駆動装置と、からなるものである。
【００１１】
また、この飾りガンギ装置における前記駆動装置は、一対の磁極部が前記アンクルの駆動磁石に対向するように配置されたステーターと、該ステーターに巻回されたコイルと、該コイルに電流を供給する駆動回路と、から構成されている。
【００１２】
更に、この飾りガンギ装置における前記アンクルの駆動磁石と前記駆動装置は遮蔽板を挟んで対向配置されている。
【００１３】
【発明の実施の形態】
本発明の飾りガンギ装置においては、指針を駆動する輪列をガンギ車で回転駆動し、このガンギ車をアンクルの揺動で回転させ、このアンクルを駆動装置の磁気作用で揺動させている。
【００１４】
即ち、ガンギ車にはその外周に多数の切欠部が設けられている。この切欠部にはアンクルの一方の端部に設けられた係合ピンからなる係合部が係合しており、アンクルが揺動することにより、係合部が切欠部の縁の斜面を押圧してガンギ車を回転させる。アンクルの他方の端部には駆動磁石が取り付けられている。駆動装置のステーターはこのアンクルの駆動磁石に対向する位置に配置され、停止時において駆動磁石が帯磁していないステーターを吸引して適正な停止位置に停止し、ステーターが帯磁するとその磁気作用により駆動磁石を一定間隔で吸引及び反発して力を加えることによりアンクルを揺動させる。
【００１５】
上記のように、本発明においては、アンクルを直接駆動装置で駆動しており、しかもアンクルを揺動させる駆動装置が、磁気作用が及ぶ範囲であれば揺動部材から離して配置可能なものであるため、小型化、薄型化等が容易なものとなっている。
【００１６】
【実施例】
図１は本発明の一実施例に係る飾りガンギ装置を示す正面図であり、図２はその断面図である。この図１及び図２において、２はガンギ車であり、下板４とこれに対向する受板６により回動自在に軸支されている。このガンギ車２の外周には、多数の切欠部２ａが形成されており、後述するアンクルと係合することによりガンギ車が一定方向に回転するように形成されている。尚、この切欠部２ａの詳細な形状等に関しては後述する。また、このガンギ車２には同軸かつ一体にピニオンギア２ｄが設けられており、このピニオンギア２ｄが指針８を駆動する輪列１０の三番車１２に噛合している。
【００１７】
１４はアンクルであり、下板４と受板６により揺動自在に軸支されている。本実施例におけるアンクル１４は略Ｙ字形状をなし、その二股に分かれている一方の端部には軸方向に立設された係合ピンからなる係合部１４ａ、１４ｂが形成されており、また、他方の端部には駆動磁石１４ｃが固着されている。本実施例におけるアンクルは、その回転中心よりも下方に重心があり、揺動自在な状態になっている。
【００１８】
１６はアンクル１４を揺動させる駆動装置である。この駆動装置１６は、コの字形をなすステーター１８と、このステーター１８の一方の磁極部側に巻回されたコイル２０と、ステップ運針の時計回路と同様にコイル２０に１秒毎に反転するパルス状の電流を供給する駆動回路２２と、から構成されている。本実施例における駆動装置１６は、そのステーター１８の磁極部１８ａ、１８ｂがアンクル１４の駆動磁石１４ｃに対向するように下板４の背面側に突出するボス４ａにケース２４と共に固定されている。尚、本実施例においては、下板４の一部を遮蔽板として使用し、その背後に駆動装置１６を隠して前方から見えないようにしている。
【００１９】
また、上記構成からなる飾りガンギ装置におけるガンギ車２とアンクル１４との係合状態を図３に基づいて説明する。ガンギ車２の切欠部２ａは、回転方向に反するように傾斜する斜面２ｂが縁部分に形成されており、また、アンクル１４の係合部１４ａ、１４ｂに適合するように底部２ｃがＵ字形に形成されている。アンクル１４の係合部１４ａ、１４ｂは、アンクル１４が揺動することにより切欠部２ａの斜面２ｂに係合し、斜面２ｂをその面に沿って押圧してガンギ車２を回転させ、その後、切欠部２ａの底部２ｃに収まるように構成されている。尚、本実施例におけるガンギ車２の切欠部２ａは、外周を３０等分するように形成されており、アンクル１４に駆動されて１分間に１回転するように設定されている。
【００２０】
次に、上記構成からなる飾りガンギ装置の動作を説明する。はじめに、アンクル１４は、ステーター１８が軟磁性材からなるものであるため、コイル２０に通電されていない停止状態において、駆動磁石１４ｃがステーター１８の磁極部１８ａ、１８ｂの一方の側を吸引して、例えば図３に示すように、傾いた状態で停止している。このときにアンクル１４の係合部１４ａ、１４ｂは、その一方がガンギ車２の切欠部２ａの底部２ｃに係止し、他方が切欠部２ａから離れたところに位置することになる。
【００２１】
上記のような停止状態にあるときに、駆動回路２２からコイル２０に電流が流れるとステーター１８の磁極部１８ａ、１８ｂが帯磁する。このときに、この磁極部１８ａ、１８ｂがそれぞれＳ極とＮ極に帯磁し、また、アンクル１４の駆動磁石１４ｃの磁極部１８ａ、１８ｂに対向する側がＮ極に設定されていると、図３に示す状態にあるアンクル１４は、その駆動磁石１４ｃが磁極部１８ｂと反発し磁極部１８ａに吸引されることにより、図３中時計方向に回転する。このときに、アンクル１４の係合部１４ａがガンギ車２の切欠部２ａの斜面２ｂに当接し、斜面２ｂに沿って押圧してガンギ車２を図３中時計方向へ回転させる。そして、ガンギ車２を１ピッチ回転させると、係合部１４ａは切欠部２ａの底部２ｃに係止して停止する。尚、アンクル１４が回転している間にコイル２０への電流供給が停止しても、アンクル１４は慣性で回転を続け、駆動磁石１４ｃが磁極部１８ａに吸引されて停止するまで動作は続けられる。尚、このときにアンクル１４の係合部１４ｂは、ガンギ車２の切欠部２ａから外れることになる。
【００２２】
その後、コイル２０に供給される電流の向きが変わり、ステーター１８の磁極部１８ａ、１８ｂがそれぞれＮ極とＳ極に帯磁すると、アンクル１４の駆動磁石１４ｃは、磁極部１８ａと反発し磁極部１８ｂに吸引される。このため、アンクル１４は図３中反時計方向へ回転し、今度は係合部１４ｂがガンギ車２の切欠部２ａの斜面２ｂをその面に沿って押圧してガンギ車２を時計方向へ回転させる。このアンクル１４の回転も、前述した動作と同様に慣性で続けられ、駆動磁石１４ｃが磁極部１８ｂに吸引され、係合部１４ｂが切欠部２ａの底部２ｃに係止すると停止する。
【００２３】
上記のようにアンクル１４が間欠的に揺動することにより、ガンギ車２は回転され、これに噛合する輪列１０が回転駆動されて指針８が動くことになる。
【００２４】
【発明の効果】
本発明によれば、アンクルに設けた磁石を駆動装置の磁気作用で駆動することによりガンギ車を駆動しているので、アンクルの駆動のためにアンクルに機械的に連結する機構を必要とせず、容易に小型化、薄型化することができる。
【００２５】
また、アンクルは、駆動装置の磁気作用により揺動されるため、磁気作用が働く範囲であれば駆動装置の位置を自由に変えることができ、更に、アンクルと駆動装置との間に下板等の遮蔽板を設けることもできるので、小型化、薄型化を容易にするだけでなく、デザインの変更等にも容易に対応することができる。
【００２６】
更に、アンクルと駆動装置とを機械的に連結する必要がないので、下板に通孔を設ける必要がなく、外観品質を高めることができる。特に、駆動装置を完全に隠してしまうことにより、アンクルやガンキ車がどのように駆動されているのか、動作の不思議さにより興味を惹くことができ、面白味を増すこともできる。
【００２７】
更にまた、前述したように駆動装置の配置の自由度が高く、またステーター、コイル及び回路をひとつにまとめた駆動装置として取り扱い且つ配置することができるので、断線等の不良の発生を防ぐことができる。
【００２８】
また、停止時においても、アンクルは、その駆動磁石が帯磁していないステーターの磁極部の一方を吸引することにより適正位置に停止するので、アンクルを常に適正位置に位置規制することができる。特に、このステーターはその磁気作用によりアンクルを駆動するものであるため、ストッパー等を設けて部品点数を増やすことなく、アンクルの位置規制をすることができる。
【図面の簡単な説明】
【図１】本発明の一実施例に係る飾りガンギ装置を示す正面図である。
【図２】図１に示す飾りガンギの断面図である。
【図３】図１に示すガンギ車とアンクルとの係合状態を示す拡大図である。
【符号の説明】
２                ガンギ車
２ａ              切欠部
２ｂ              斜面
２ｃ              底部
１４              アンクル
１４ａ、１４ｂ    係合部
１４ｃ            駆動磁石
１６              駆動装置
１８              ステーター
２０              コイル
２２              駆動回路
【図１】
0003626855.tif 000002
【図２】
0003626855.tif 000003
【図３】
0003626855.tif 000004